【手続補正書】
【提出日】平成17年9月2日(2005.9.2)
【手続補正１】
【補正対象書類名】明細書
【補正対象項目名】特許請求の範囲
【補正方法】変更
【補正の内容】
【特許請求の範囲】
【請求項１】  高周波帯域および少なくとも１つの低周波数帯域で共振しかつ放射する多帯域アンテナであって、
対向する面を有する誘電体基板と、
前記誘電体基板の一方の面でグラウンドプレーンとして働く導電層と、
前記誘電体基板の反対側の面に担持された導電性給電線であって、少なくとも１つの供給端および少なくとも１つの負荷端を有する給電線と、
前記供給端および負荷端に対し供給側および負荷側を有する前記グラウンドプレーンに形成されたスロットであって、スロットが前記高周波数帯域で共振しかつ放射するように前記給電線に電磁的に結合されるスロットと、
前記グラウンドプレーンに電気的に接続されて前記スロットの負荷側でその連続として働くさらなる導電体であって、前記スロットを前記少なくとも１つの低周波数帯域でも共振させかつ放射させるように大きさを定められ、配置され、かつ前記低周波数帯域で前記スロットに電磁的に結合されるさらなる導電体と
を備えたアンテナ。
【請求項２】  前記グラウンドプレーンの連続として働く前記さらなる導電体が導電層の形でもあり、かつ反射器としても作動する請求項１に記載のアンテナ。
【請求項３】  前記後者の導電層が連続しておりスロットが無い請求項２に記載のアンテナ。
【請求項４】  前記後者の導電層に両端が閉塞したスロットが形成される請求項２に記載のアンテナ。
【請求項５】  前記後者の導電層に少なくとも一端が開放されたスロットが形成される請求項２に記載のアンテナ。
【請求項６】  前記グラウンドプレーンの連続として働く前記さらなる導電体が少なくとも１つのスタブ反射器を画定するように成形された導体である請求項１に記載のアンテナ。
【請求項７】  前記グラウンドプレーンがその片側を前記スタブ反射器と整列して遮断される請求項６に記載のアンテナ。
【請求項８】  前記グラウンドプレーンの連続として働く前記さらなる導電体が、給電反射器によって前記グラウンドプレーンに各々電気的に接続される２つのスタブ反射器を画定するように成形される前記請求項１に記載のアンテナ。
【請求項９】  前記グラウンドプレーンの連続として働く前記さらなる導電体が、前記グラウンドプレーンの前記誘電体基板に対してある角度で固定された第２誘電体基板上に担持されて、２つの導電層が電気的に接続された組立体を形成する請求項１に記載のアンテナ。
【請求項１０】  前記誘電体基板が可撓性であり、一部分に前記グラウンドプレーン、給電線、およびスロットを形成され、別の部分に前記グラウンドプレーンの連続として働く前記さらなる導電体を形成され、２つの導電層を接続した状態で予め定められた角度で折り返される請求項１に記載のアンテナ。
【請求項１１】  前記グラウンドプレーンの連続として働く前記さらなる導電体が前記グラウンドプレーンと同一誘電体基板上に担持される請求項１に記載のアンテナ。
【請求項１２】  前記グラウンドプレーンの連続として働く前記さらなる導電体が、前記誘電体基板の前記給電線と同一面に担持されるが、前記給電線から絶縁される請求項１１に記載のアンテナ。
【請求項１３】  前記グラウンドプレーンの連続として働く前記さらなる導電体がスタブ反射器の形態である、請求項１１に記載のアンテナ。
【請求項１４】  前記グラウンドプレーンの前記スロットが湾曲している請求項１に記載のアンテナ。
【請求項１５】  前記給電線が少なくとも１対の供給端、および前記対の供給端の間で電力を分割する電力分配器を含む請求項１に記載のアンテナ。
【請求項１６】  前記スロットのそれぞれの部分のインピーダンスを前記スロットの供給側に整合させるために各供給端が寸法の変更を含む請求項１に記載のアンテナ。
【請求項１７】  前記スロットのそれぞれの部分のインピーダンスを前記スロットの負荷側に整合させるために各負荷端が寸法の変更を含む請求項１に記載のアンテナ。
【請求項１８】  前記給電線の各負荷端がリアクティブ負荷を含む請求項１に記載のアンテナ。
【請求項１９】  前記グラウンドプレーンの前記スロットが両端を閉塞されている請求項１に記載のアンテナ。
【請求項２０】  前記グラウンドプレーンの前記スロットが少なくとも一端を開放されている請求項１に記載のアンテナ。
【請求項２１】  前記給電線に電磁的に結合された２つの湾曲スロットが前記グラウンドプレーンに形成される請求項１に記載のアンテナ。
【請求項２２】  ２つの湾曲スロットが前記グラウンドプレーンに形成され、前記誘電体基板が前記２つの湾曲スロットに電磁的に結合された２つの給電線を含む請求項１に記載のアンテナ。
【請求項２３】  幅広い動作帯域幅で共振しかつ放射するマイクロ波アンテナであって、
対向する面を有する誘電体基板と、
前記誘電体基板の一方の面でグラウンドプレーンとして働く導電層と、
前記誘電体基板の反対側の面に担持された導電性給電線であって、少なくとも１つの供給端および少なくとも１つの負荷端を有する給電線と、
前記供給端および負荷端に対し供給側および負荷側を有する前記グラウンドプレーンに形成された湾曲スロットであって、前記スロットが前記幅広い動作帯域幅で共振しかつ放射するように前記給電線に電磁的に結合されたスロットと
を備え、
前記給電線が前記幅広い動作帯域幅に対してアンテナのインピーダンスを整合させるために少なくともその前記端の１つにおいて幅の変更を含むアンテナ。
【請求項２４】  前記湾曲スロットが実質的にＵ字構成であり、ブリッジによって接合された２つのサイドアームを含む請求項２３に記載のアンテナ。
【請求項２５】  前記給電線が少なくとも１対の供給端、および前記対の供給端の間で電力を分割する電力分配器を含む請求項２３に記載のアンテナ。
【請求項２６】  前記給電線が前記スロットの入力インピーダンスを整合させるために同調スタブを含む請求項２５に記載のアンテナ。
【請求項２７】  前記給電線の前記対の供給端が前記湾曲スロットに対称的に結合される請求項２５に記載のアンテナ。
【請求項２８】  前記スロットのそれぞれの部分のインピーダンスを前記スロットの供給側に整合させるために前記少なくとも１つの供給端が幅の変更を含む請求項２３に記載のアンテナ。
【請求項２９】  前記スロットのそれぞれの部分のインピーダンスを前記スロットの負荷側に整合させるために前記少なくとも１つの負荷端が幅の変更を含む請求項２３に記載のアンテナ。
【請求項３０】  前記給電線の各負荷端がリアクティブ負荷を含む請求項２３に記載のアンテナ。
【請求項３１】  前記グラウンドプレーンの前記湾曲スロットが両端を閉塞されている請求項２３に記載のアンテナ。
【請求項３２】  前記グラウンドプレーンの前記湾曲スロットが少なくとも一端を開放されている請求項２３に記載のアンテナ。
【請求項３３】  前記アンテナが、前記グラウンドプレーンに電気的に接続されて前記スロットの負荷側でその連続として働き、かつ前記スロットを少なくとも１つの低周波数帯域でも共振させかつ放射させるように前記低周波数帯域で前記スロットに電磁的に結合されるさらなる導電体を含む請求項２３に記載のアンテナ。
【請求項３４】  前記グラウンドプレーンの連続として働く前記さらなる導電体が導電層の形でもあり、かつ反射器としても作動する請求項３３に記載のアンテナ。
【請求項３５】  前記後者の導電層が連続しておりスロットが無い請求項３４に記載のアンテナ。
【請求項３６】  前記後者の導電層にスロットが形成される請求項３４に記載のアンテナ。
【請求項３７】  前記グラウンドプレーンの連続として働く前記さらなる導電体が少なくとも１つのスタブ反射器を画定する形状である請求項３３に記載のアンテナ。
【請求項３８】  前記グラウンドプレーンがその片側を前記スタブ反射器と整列して遮断される請求項３７に記載のアンテナ。
【請求項３９】  前記グラウンドプレーンの連続として働く前記さらなる導電体が、前記グラウンドプレーンの前記誘電体基板に対してある角度で固定された第２誘電体基板上に担持されて、２つの導電層が電気的に接続された組立体を形成する請求項３３に記載のアンテナ。
【請求項４０】  前記グラウンドプレーンの連続として働く前記さらなる導電体が、前記誘電体基板の前記給電線を担持する面に担持されるが、前記給電線から電気的に絶縁される請求項３３に記載のアンテナ。
【請求項４１】  前記給電線に電磁的に結合された２つの湾曲スロットが前記グラウンドプレーンに形成される請求項２３に記載のアンテナ。
【請求項４２】  ２つの湾曲スロットが前記グラウンドプレーンに形成され、前記誘電体基板が前記２つの湾曲スロットに電磁的に結合された２つの給電線を含む請求項２３に記載のアンテナ。
【請求項４３】  予め定められた周波数帯域で共振しかつ放射するアンテナであって、
アンテナの導電性グラウンドプレーンと、
アンテナの前記グラウンドプレーンに電気的に接続されてその連続として働く導電体であって、前記予め定められた周波数帯域におけるその動作を向上するように大きさを定められ、配置され、かつ前記アンテナに電磁的に結合される導電体と、
少なくとも１つの供給端および少なくとも１つの負荷端を有する導電性給電線と、
前記供給端および負荷端に対し供給側および負荷側を有する前記グラウンドプレーンに形成されたスロットであって、前記スロットが前記予め定められた周波数帯域より低い周波数帯域でも共振しかつ放射するように前記給電線に電磁的に結合されるスロットと
を備えたアンテナ。
【請求項４４】  前記グラウンドプレーンの連続として働く前記導電体が導電層の形であり、かつ反射器としても作動する請求項４３に記載のアンテナ。
【手続補正２】
【補正対象書類名】明細書
【補正対象項目名】００９６
【補正方法】変更
【補正の内容】
【００９６】
図１１は、図５の設計２００に類似しているが、２つの主要な変更がある、一般的に８００と指定されたアンテナ設計を示す。第一に、反射器を画定する導電層１１０が、図５に１０９で示すようなスロットを形成するのでなく、連続しており、スロットが無い。第二に、連続導電層１１０′を持つ別のパネル１０２′がある。このパネル１０２′は、ＰＴＨ１１１ｃおよび１１１ｄを介してピン１１２′によりパネル１０２に接続される。図１１ｂおよび１１ｃは二重折り返し状態のアンテナを提示する。